(57)【要約】      （修正有）【課題】移動可能な電源で、数ｍの範囲で耕作地の土竜や鼠の感電駆除が行える土中通電駆除器具を提供する。【解決手段】杭状の剛性で直形約１ｃｍ長さ４０ｃｍ程の銅製の電極棒８と、電極棒を覆って保護するための安全ホルダー７と、電極棒及び安全ホルダーが中に挿入され電極棒と電気的に接続されている電極ホルダー６と、電極ホルダーと安全ホルダーとの間に設けられたバネ９と、電極ホルダーに取り付けられる電線３と、電線と接続された移動電源１とを含む。安全ホルダーはバネが伸びている状態では電極棒を覆って不用意な感電を防止し、バネが縮んでいる状態では電極棒が安全ホルダーを飛び出すように設けられ、約１ｍの間隔で電極棒を土中に挿入して両電極棒間に電流を流して使用する。【選択図】図１
0003200729.tif 000002
【実用新案登録請求の範囲】
【請求項１】
発電機等の移動電源で耕作地の土竜や鼠の感電駆除用で、電極棒で土中に通電し感電駆除を行うことを特徴とする、土中通電駆除器具。
【請求項２】
請求項１に記載の、土中通電駆除器具で、安全器具を設けた電極棒を土中に挿入し通電、土竜や鼠の生息が伺われる芝生地等に移動し、数ｍの範囲で電流や電線ドラムで電極との長さと範囲を調整し、感電駆除をおこなえることを特徴とする、土中通電駆除器具。
【考案の詳細な説明】
【技術分野】
【０００１】      本考案は、発電機等の移動電源で電極棒を土中に挿入し通電、耕作地の土竜や鼠の感電駆除用で、安全器具を設けた電極棒を数ｍの範囲で挿入し、電流や電線ドラム等を調整して駆除の範囲を変えられ、傾斜地等にも移動が簡単で土竜や鼠を集中的に、感電駆除が行えることを特徴する、土中通電駆除器具に関する。
【背景技術】
【０００２】      各種の駆除用具は、粘着紙で捕獲や超音波発生器、振動器による忌避器具で、使用場所は倉庫や台所等特定され、粘着紙の処理や超音波は設置者も不愉快で場所も限定、振動忌避具は設置場所の選定が前提で台数も必要である。
【先行技術文献】
【特許文献】
【０００３】
【特許文献１】  特開２００６−１７４７８７号公報
【特許文献２】  特開２００７−３７４３７号公報
【特許文献３】  特開２００１−２０４３６３号公報
【特許文献４】  特開２０１４−５１０５４０号公報
【考案の概要】
【考案が解決しようとする課題】
【０００４】    上記特許文献１の示す容器は、粘着紙で貼り付捕獲する、台紙形式でコーティングしプラチックフイルムを積層した台紙、使用は倉庫や居住地限定である。
上記特許文献２の示す器具は、鼠の通路にセンサーを固定設置しレーザー光の照射を行う、装置の点検等で不執拗なレーザー光の照射を受ける危険性がある。
上記特許文献３の示す器具は、超音波発生源と赤外線センサーを整備し、装置の四面に超音波発生器を設置し、倉庫や天井の梁に固定し移動は出来ない。
上記特許文献４の示す器具は、感電捕獲器で進入通路から複数の捕獲室に入り、複数の電極で捕殺し排出、器具を置く場所選定や設置台数が必要である。
センサーやレーザー光照射器は台数と、設置の方法や場所の選定が必要である。
【課題を解決するための手段】
【０００５】    上記、課題を解決するため、本考案は、耕作地の土中に潜む土竜や鼠を、超音波や感電捕殺器具の固定電源では無く、簡易な電源からの電流や電線ドラムで長さ等を調整して、土竜や鼠の存在が伺われる場所に移動して、生育が確認される芝生地等で集中的に数ｍの範囲で通電して、完全な感電駆除が行えるものである。【０００６】    発電機等の移動可能な電源で通電し、耕作地での土竜や鼠の被害を防止する感電駆除用で、電極棒を挿入し通電して感電駆除することを特徴とする、土中通電駆除器具である。【０００７】    土中通電駆除器具は、簡易な電源から安全装置を設けた電極棒で、数ｍの範囲で電極棒を挿入して感電駆除する、水田での濾水による畦畔崩壊等土竜や鼠の被害を防止し、生育する芝生地等に移動して電線や電流等を調整、駆除の範囲を変えての感電駆除が行えることを特徴とする、土中通電駆除器具である。
【考案の効果】
【０００８】    移動可能な電源で、耕作地の土竜や鼠の感電駆除用で、電極棒を挿入し通電して感電駆除を行うことを特徴する、土中通電駆除器具である。【０００９】    簡易な電源の、安全装置を設けた電極棒で数ｍの範囲で通電し、土竜や鼠の成育が伺える芝生地等での感電駆除、電流と電線ドラムで長さ等を調整し駆除の範囲を変え、水田で濾水による畦畔崩壊等を防止し、土壌水分の多い時の通電では、更に、効果の高い感電駆除がおこなえることを特徴する、土中通電駆除器具である。
【図面の簡単な説明】
【００１０】
【図１】本考案となる、土中通電駆除器具の形態図
【図２】駆除器具の、作動用の電極棒の構成図
【図３】図（Ａ）と図（Ｂ）で、両ホルダーを移動させる駆除範囲例図
【図４】図（Ｃ）と図（Ｄ）で、固定ホルダーを中心に周回する駆除範囲例図
【考案を実施するための形態】
【００１１】    移動可能な電源で土中に通電し、安全装置を設けた電極棒を移動させながら、土竜や鼠の存在が伺われる特定的な場所を、電流と電線ドラムで長さ等を調整して、数ｍの範囲で集中的な感電駆除を行う、土中通電駆除器具である。
【実施例】
【００１２】    図１は、本考案の土中通電駆除器具で、電源１の電極Ａ４と電極Ｂ５から、電線３で各電極ホルダー６に接続して、安全ホルダー７で保護された電極棒８で通電し、感電駆除を行う土中通電駆除器具の形態図である。
電線ドラム１０と電極ホルダー６は状況により、電極を切り替えられる。【００１３】    図２は、作動用の電極棒の構成図で、電線３を通じ電極ホルダー６の安全ホルダー７で保護された電極棒８、安全ホルダー７は電極ホルダー６のバネ９により伸縮して電極棒８を保護して、通電スイッチ２は安全スイッチカバー１２で保護され、安全スイッチカバー１２を手前に引き上げて、通電スイッチ２は前に押して居る間は通電し、離せば切れて元に戻る機能を有し、不用意な操作による人身への感電事故の防止をはかる構成図である。【００１４】    図３は、駆除範囲の例図、図（Ａ）と図（Ｂ）である。
図（Ａ）は、数ｍの範囲で、電極ホルダー６を挿入通電し電極ホルダー６を交互に移動させて通電し駆除する、駆除範囲１１の例図、図（Ａ）である。
図（Ｂ）は、数ｍの範囲で、電極ホルダー６で通電し、２ヶ所の電極ホルダー６を一緒に移動させて通電し駆除する、駆除範囲１１の例図、図（Ｂ）である。【００１５】    図４は、駆除範囲の例図、図（Ｃ）と図（Ｄ）である。
図（Ｃ）は、固定電極ホルダー６ａを中心部に固定し、片方の電極ホルダー６を数ｍの範囲で挿入し通電、更に、固定電極ホルダー６ａの周囲を片方の電極ホルダー６で通電しながら、数ｍの範囲で周回移動して通電し駆除する、駆除範囲１１の例図、図（Ｃ）である。
図（Ｄ）は、図（Ｃ）と同様、固定電極ホルダー６ａを周回し通電駆除するが、挿入の範囲を耕作地等に合わせ、電極ホルダー６で四隅を長く脇は短くするなど、周回移動し駆除範囲１１を変える、駆除範囲１１の例図、図（Ｄ）である。
【産業上の利用可能性】
【００１６】    土中通電駆除器具は、簡易な移動電源で電流を土中に通電し、耕作地の土竜や鼠の感電駆除用で、生育が伺える芝生地や傾斜地等にも移動でき、数ｍの範囲で集中的な感電駆除処理が行える、電極ホルダーに挿入補助具や安全装置を設け、電圧等の調整や電線ドラムなど電極器具装置も交換でき、菌糸類にも刺激を与えることも特徴する、土中通電駆除器具である。
【符号の説明】
【００１７】    １    電源
２    通電スイッチ
３    電線
４    電極Ａ
５    電極Ｂ
６    電極ホルダー
６ａ  固定電極ホルダー
７    安全ホルダー
８    電極棒
９    バネ
１０  電線ドラム
１１  駆除範囲
１２  安全スイッチカバー
【図１】
0003200729.tif 000003
【図２】
0003200729.tif 000004
【図３】
0003200729.tif 000005
【図４】
0003200729.tif 000006
【手続補正書】
【提出日】平成27年2月17日(2015.2.17)
【手続補正１】
【補正対象書類名】実用新案登録請求の範囲
【補正対象項目名】全文
【補正方法】変更
【補正の内容】
【実用新案登録請求の範囲】
【請求項１】
発電機等の移動可能な電源による耕作地等の土竜や鼠の感電駆除用で数十ｃｍの長さの電極棒を土中に挿入して移動電源より電流を両電極間に流すことで土竜や鼠等の感電駆除を行うことを特徴とする土中通電駆除器具
【請求項２】
請求項１に記載の土中通電駆除器具で電流の調整器具や電極棒に安全ホルダーなど安全装置を設けて作業時の不慮な感電防止を図り両電極棒を土中に挿入し電源より電流を両電極間に流し感電駆除を行う土竜や鼠の生息が伺われる傾斜地等にも移動が簡単にでき数ｍの範囲で電線ドラム等を使用し両電極棒器具との間隔を調整する事で土竜や鼠の効果的な感電駆除がおこなえることを特徴とする土中通電駆除器具
【手続補正書】
【提出日】平成27年4月10日(2015.4.10)
【手続補正１】
【補正対象書類名】実用新案登録請求の範囲
【補正対象項目名】全文
【補正方法】変更
【補正の内容】
【実用新案登録請求の範囲】
【請求項１】
発電機等の移動可能な電源による耕作地等の土竜や鼠の感電駆除用で杭状で剛性の直形約１ｃｍ長さ４０ｃｍ程で銅製の電極棒を約１ｍの間隔で土中に挿入し移動電源より両電極棒間に電流を流すことで両電極棒の範囲で電流による土竜や鼠の感電駆除を行うことを特徴とする土中通電駆除器具
【請求項２】
請求項１に記載の土中通電駆除器具でスイッチ等の変換器具で電流などを変えられ電極棒の安全ホルダーは土中挿入時にバネ等を使用して電極棒を露出させる安全装置を設けて作業時の不慮な感電防止を図り生息が覗える土竜のモグラ塚を確認しその周辺や近くの傾斜地等にも移動し予測生息地を約１ｍの間隔で銅製の両電極棒を交互に挿入や移動を行ないモグラ塚の周辺などで移動電源により両電極棒間に電流を流することで土竜や鼠の効果的な感電駆除がおこなえることを特徴とする土中通電駆除器具
【手続補正書】
【提出日】平成27年6月8日(2015.6.8)
【手続補正１】
【補正対象書類名】実用新案登録請求の範囲
【補正対象項目名】全文
【補正方法】変更
【補正の内容】
【実用新案登録請求の範囲】
【請求項１】
発電機等の移動可能な電源による耕作地等での土竜等の感電駆除用で杭状の剛性で直形約１ｃｍ長さ４０ｃｍ程の銅製の電極棒で移動電源の電極より電線を通じ電極ホルダーのバネを使い安全ホルダーで保護した電極棒に不用意な通電を防止する通電スイッチを使用し移動電源から電線を通じて電極ホルダーに設けた電極棒で約１ｍの間隔で土中に挿入し電流を流すことで電流による土竜等の感電駆除を行うことを特徴とする土中通電駆除器具
【請求項２】
請求項１に記載の通電駆除器具で発電機等の移動電源で電線を通じて電極棒の一部を覆う安全ホルダーと土中挿入時にバネ等を使用して電極棒を露出させる安全ホルダーを覆う電極ホルダーと電極ホルダーに設けられた通電スイッチを有して作業時の不慮な感電防止を図り生息が覗える土竜のモグラ塚を確認して移動電源から電線を通じて電極ホルダーの電極棒に電流を流して感電駆除を行いその周辺や近くの傾斜地等にも移動して土竜等の予測生息地で約１ｍの間隔に両電極ホルダーで交互に電極棒を土中に挿入と通電スイッチで通電を繰り返して移動を行ないモグラ塚の周辺を集中的に電極ホルダーの電極棒に通電スイッチを使い電流を流すことで土竜や鼠の効果的な感電駆除がおこなえることを特徴とする土中通電駆除器具
【手続補正書】
【提出日】平成27年8月4日(2015.8.4)
【手続補正１】
【補正対象書類名】実用新案登録請求の範囲
【補正対象項目名】全文
【補正方法】変更
【補正の内容】
【実用新案登録請求の範囲】
【請求項１】
発電機等の移動可能な電源による耕作地等での土竜等の感電駆除用で杭状の剛性で直形約１ｃｍ長さ４０ｃｍ程の銅製の電極棒と電極棒を覆って保護するための安全ホルダーと電極棒及び安全ホルダーが中に挿入され電極棒と電気的に接続されている電極ホルダーで電極ホルダーと安全ホルダーとの間に設けられたバネと電極ホルダーに取り付けられる電線と電線に電流を流すために電線と接続された移動電源と電極ホルダーに電極棒を有して安全ホルダーはバネが伸びている状態では電極棒を覆って保護し不用意な感電を防止しバネが縮んでいる状態では電極棒が安全ホルダーを飛び出すようにバネによって移動可能に設けられ両電極ホルダーに設けた電極棒に移動電源から電線を接続して約１ｍの間隔で電極棒を土中に挿入して両電極棒間に電流を流すことを特徴とする土中通電駆除器具
【請求項２】
電極ホルダーに通電スイッチを設けた請求項１に記載の土中通電駆除器具で移動可能な電源から電線で接続された電極ホルダーの通電スイッチでモグラ塚の周辺で電極棒に電流を流して耕作地等を駆除してその周辺の生息地でも約１ｍの間隔で電極ホルダーの両電極棒を土中に挿入し電線で接続した移動電源から通電スイッチで電極棒間に電流を流して交互に電極棒を移動させながら集中的に感電駆除し移動電源での駆除範囲は電線ドラムを使用することで電極棒への通電は電源を移動せずに電線ドラムに巻き込まれた電線の長さの範囲内で接続された電極棒間に電流を流して特定の駆除範囲で効果的な感電駆除ができ使用する移動電源により電流や電圧を変換機器具で調整変換をおこなうことを特徴とする土中通電駆除器具